(57)【特許請求の範囲】
【請求項１】
被測定部位を圧迫するための流体袋と、
前記流体袋を被測定部位に向けて付勢するためのカーラと、
前記流体袋および前記カーラを収容し、前記流体袋および前記カーラを被測定部位に装着するため、被測定部位に巻きつけられる帯状形態の袋状カバー体と、を備え、
前記カーラは、被測定部位への巻き付け方向に沿う湾曲形状に成型されるとともに、曲率半径が変化する第１変曲点と第２変曲点とを含み、
前記第１変曲点と前記第２変曲点との間は、前記第１変曲点および前記第２変曲点の、それぞれの前記カーラの端部側の前記カーラを曲率に沿って延長した位置よりも内側となるように成型され、
前記第１変曲点と前記第２変曲点との中心位置と、前記流体袋の被測定部位への巻き付け方向に沿う中心位置とが重なるように設けられ、
前記第１変曲点と前記第２変曲点との間は直線となる領域を有する、血圧情報測定装置用カフ。
【請求項２】
前記第１変曲点と前記第２変曲点との距離は、約２０ｍｍ〜約６０ｍｍである、請求項１に記載の血圧情報測定装置用カフ。
【請求項３】
被測定部位を圧迫するための流体袋と、
前記流体袋を被測定部位に向けて付勢するためのカーラと、
前記流体袋および前記カーラを収容し、前記流体袋および前記カーラを被測定部位に装着するため、被測定部位に巻きつけられる帯状形態の袋状カバー体と、を備え、
前記カーラは、被測定部位への巻き付け方向に沿う湾曲形状に成型されるとともに、曲率半径が変化する第１変曲点と第２変曲点とを含み、
前記第１変曲点と前記第２変曲点との間は、前記第１変曲点および前記第２変曲点のそれぞれの前記カーラの端部側の前記カーラを曲率に沿って延長した位置よりも内側となるように成型され、
前記第１変曲点と前記第２変曲点との間の前記カーラと、前記流体袋の中心位置とが重なるように配置され、
前記第１変曲点と前記第２変曲点との間は直線となる領域を有する、血圧情報測定装置用カフ。
【請求項４】
請求項１から３のいずれかに記載の血圧情報測定装置用カフと、
前記流体袋を膨縮させる膨縮機構と、
血圧情報を取得する血圧情報取得部と、
を備えた、血圧情報測定装置。
【発明の詳細な説明】
【技術分野】
【０００１】
本発明は、血圧値等の血圧情報を測定する際に被測定部位に装着されて使用される血圧情報測定装置用カフ、およびこれを備えた血圧情報測定装置に関する。
【背景技術】
【０００２】
血圧情報測定装置は、被験者の血圧情報を取得する。血圧情報測定装置が取得する血圧情報には、収縮期血圧値（最高血圧値）、拡張期血圧値（最低血圧値）、平均血圧値、被験者の脈波、脈拍、ＡＩ（Augmentation Index）値等、循環器系の種々の情報などが含まれる。これらの血圧情報に基づき、心臓の負荷、または動脈硬さの変化などを把握することができる。血圧情報測定装置は、循環器系の疾患の早期発見、予防または治療などのために使用されている。
【０００３】
一般に、血圧情報の測定には、血圧情報測定装置用カフ（以下、単にカフとも称する）が使用される。カフは、内腔を有する帯状の袋状カバー体を有し、生体（動脈）を圧迫するための流体袋を袋状カバー体の内部に内包している。カフは、上腕などの生体の一部に巻き付けられる。
【０００４】
収縮期血圧値または拡張期血圧値などの血圧値を測定するための血圧情報測定装置（以下、単に血圧計とも称する）においては、カフが生体の一部の体表面に巻き付けられる。カフに内包される流体袋に、気体や液体等の流体が注入または排出される。流体袋に流体が注入されることにより、流体袋は膨張する。流体袋から流体が排出されることにより、流体袋は収縮する。流体袋が膨張または収縮するときに発生する流体袋の内圧の変化が、動脈圧脈波または血圧値として取得される。
【０００５】
一般的に、非観血血圧測定法による血圧測定を行なう場合には、上腕にカフを巻き付けて、血液の流れを阻止するようにカフ内の空気圧を高め、動脈を圧迫する。このとき、空気袋と袋状カバー体その他の内包物との摩擦が生ずることによる締め付け具合の調節や、測定中にカフの締め付けを緩ませないこと、空気袋の中心位置を動脈の直上にあわせることが重要である。
【０００６】
ここで、カフを上腕に沿うように締め付けを容易にするものとして、カフに上腕に沿うよう略円筒状の可撓性部材からなるカーラを備えるものがある。このようなカフを開示するものとして、下記の特許文献１および２が挙げられる。
【０００７】
たとえば、空気袋で上腕を圧迫する際に、被験者が緩く巻いた状態で略円筒形状で空気袋が膨張すると、血管内容積に比べ、カフ内空気容量が血管内容積の１０倍以上に大きくなるような場合がある。このような場合には、測定した血圧値が通常の血圧測定値に比べ、誤差を含んだ測定結果が生じてしまう。
【０００８】
図１３は上腕３０１の断面を示す模式図である。上腕３０１は骨３０２を有し、上腕３０１の頂上位置（Ｌ２）から身体側にずれた位置に動脈３０３が位置している。図１４はカフを上腕に正常に装着した状態を示す断面模式図である。空気袋３６１の中心位置が動脈３０３の直上に位置しており、カーラ３９１によって空気袋３６１が被測定部位に向けて適切に付勢されている。なお、図１４において、空気袋３６１およびカーラ３９１を収容する帯状形態の袋状カバー体の図示は省略している。以下の図１５においても同様である。
【０００９】
図１５は、カフが上腕に緩く巻かれた状態を示す断面模式図である。空気袋３６１の中心位置は動脈３０３の直上に位置しているものの、カーラ３９１と上腕３０１の表面との距離が大きいために（図１４の距離Ｒ１に比べ、距離Ｒ２が長い）、空気袋３６１の容量が大きくなり（カフ内空気容量の拡大）、十分に動脈３０３を圧迫できない状態となっている。その結果、測定した血圧値が通常の血圧測定値に比べ、誤差を含んだ測定結果となる。
【先行技術文献】
【特許文献】
【００１０】
【特許文献１】特開平２−１２２１号公報
【特許文献２】特開平６−３８９３１号公報
【発明の概要】
【発明が解決しようとする課題】
【００１１】
この発明が解決しようとする課題は、血圧情報測定装置用カフが被測定部位に緩く巻かれた場合に、血圧情報測定装置により測定した血圧値が通常の血圧測定値に比べ、誤差を含んだ測定結果になってしまう点にある。したがって、この発明の目的は、血圧情報測定装置用カフが被測定部位に緩く巻かれた場合であっても、流体袋の容積変化の誤差を小さくすることにより、血圧測定の誤差を小さくすることが可能な血圧情報測定装置用カフおよびこれを備えた血圧情報測定装置を提供することにある。
【課題を解決するための手段】
【００１２】
本発明に基づく血圧情報測定装置用カフの一の局面では、被測定部位を圧迫するための流体袋と、上記流体袋を被測定部位に向けて付勢するためのカーラと、上記流体袋および上記カーラを収容し、上記流体袋および上記カーラを被測定部位に装着するため、被測定部位に巻きつけられる帯状形態の袋状カバー体とを備え、上記カーラは、被測定部位への巻き付け方向に沿う湾曲形状に成型されるとともに、曲率半径が変化する第１変曲点と第２変曲点とを含み、上記第１変曲点と上記第２変曲点との間は、上記第１変曲点および上記第２変曲点の、それぞれの上記カーラの端部側の上記カーラを曲率に沿って延長した位置よりも内側となるように成型され、上記第１変曲点と上記第２変曲点との中心位置と、上記流体袋の被測定部位への巻き付け方向に沿う中心位置とが重なるように設けられる。
【００１３】
上記発明の他の形態に基づく血圧情報測定装置用カフは、上記第１変曲点と上記第２変曲点との間は、直線となる領域を有する。
【００１４】
上記発明の他の形態に基づく血圧情報測定装置用カフは、上記第１変曲点と上記第２変曲点との距離は、約２０ｍｍ〜約６０ｍｍである。
【００１５】
上記発明に基づいた血圧情報測定装置用カフの他の局面では、被測定部位を圧迫するための流体袋と、上記流体袋を被測定部位に向けて付勢するためのカーラと、上記流体袋および上記カーラを収容し、上記流体袋および上記カーラを被測定部位に装着するため、被測定部位に巻きつけられる帯状形態の袋状カバー体とを備え、上記カーラは、被測定部位への巻き付け方向に沿う湾曲形状に成型されるとともに、曲率半径が変化する第１変曲点と第２変曲点とを含み、上記第１変曲点と上記第２変曲点との間は、上記第１変曲点および上記第２変曲点のそれぞれの上記カーラの端部側の上記カーラを曲率に沿って延長した位置よりも内側となるように成型され、上記第１変曲点と上記第２変曲点との間の上記カーラと、上記流体袋の中心位置とが重なるように配置される。
【００１６】
本発明に基づく血圧情報測定装置は、上記のいずれかに記載の血圧情報測定装置用カフと、上記流体袋を膨縮させる膨縮機構と、血圧情報を取得する血圧情報取得部とを備える。
【発明の効果】
【００１７】
本発明によれば、血圧情報測定装置用カフが被測定部位に緩く巻かれた場合であっても、精度良く血圧測定を行なうことが可能な血圧情報測定装置用カフおよびこれを備えた血圧情報測定装置を提供する。
【図面の簡単な説明】
【００１８】
【図１】実施の形態における血圧計の全体構成を示す図である。
【図２】実施の形態における血圧計の構成を示す機能ブロック図である。
【図３】実施の形態における血圧計の血圧測定処理の流れを示すフローチャートである。
【図４】実施の形態におけるカフの展開平面図である。
【図５】実施の形態におけるカフを上腕に巻き付けた状態を示す断面図である。
【図６】図４中のＶＩ−ＶＩ線矢視断面図である。
【図７】実施の形態におけるカフに採用されるカーラを上腕に巻き付けた状態での、図８中のＶＩＩ−ＶＩＩ線矢視断面図である。
【図８】実施の形態におけるカフに採用されるカーラを上腕に巻き付けた状態での斜視図である。
【図９】実施の形態におけるカフに採用されるカーラに外力が加わっていない状態での断面図である。
【図１０】実施の形態におけるカフに採用されるカーラの他の形態を示す斜視図である。
【図１１】実施の形態におけるカフに採用されるカーラのさらに他の形態を示す断面図である。
【図１２】実施の形態におけるカフに採用されるカーラのさらに他の形態を示す断面図である。
【図１３】上腕の断面を示す模式図である。
【図１４】カフを上腕に正常に装着した状態を示す断面模式図である。
【図１５】カフが上腕に緩く巻かれた状態を示す断面模式図である。
【発明を実施するための形態】
【００１９】
本発明に基づいた実施の形態における血圧情報測定装置用カフおよびこれを備えた血圧情報測定装置について、以下、図面を参照しながら説明する。
【００２０】
以下の実施の形態においては、血圧情報測定装置用カフの一例として、上腕に巻き付けられて使用される血圧計用カフについて説明する。血圧情報測定装置用カフを備えた血圧情報測定装置の一例として、上記血圧計用カフを用いて収縮期血圧値および拡張期血圧値等の血圧値を測定可能とした血圧計について説明する。
【００２１】
以下の各実施の形態においては、個数、量などに言及する場合、特に記載がある場合を除き、本発明の範囲は必ずしもその個数、量などに限定されない。以下に説明する各実施の形態において、同一の部品、相当部品に対しては、同一の参照番号を付し、重複する説明は繰り返さない場合がある。
【００２２】
まず、図１から図３を参照して、本実施の形態における血圧計１００について説明する。なお、図１は血圧計１００の全体構成を示す図、図２は血圧計１００の構成を示す機能ブロック図、図３は血圧計１００の血圧測定処理の流れを示すフローチャートである。
【００２３】
図１を参照して、血圧計１００は、装置本体１１０と、血圧計用カフ１５０とを有する。血圧計１００は、血圧計用カフ１５０が被験者の上腕に装着される上腕式血圧計である。
【００２４】
装置本体１１０と血圧計用カフ１５０とは、分離して設けられており、血圧測定時において、装置本体１１０は机などの載置面に載置されて使用される。装置本体１１０と血圧計用カフ１５０とは、血圧計用カフ１５０に設けられたエア接続口１４６に接続管１４０が接続される。
【００２５】
装置本体１１０には、表示部１２２および操作部１２４が設けられている。表示部１２２は、血圧値の測定結果や脈拍数の測定結果等を、数値やグラフなどを用いて視認可能に表示する。この表示部１２２としては、たとえば液晶パネル等が利用される。操作部１２４には、たとえば、電源ボタンや測定開始ボタン、血圧計用カフ１５０の使用者に関する情報を入力するための入力ボタンなどの各種ボタンが設けられている。
【００２６】
血圧計用カフ１５０は、帯形状の外観を有し、被験者の上腕の周囲に巻き付けられる。血圧計用カフ１５０は、上腕を圧迫するための流体袋１６１と、流体袋１６１を上腕に巻き付けて装着するための袋状カバー体１６６とを有する。流体袋１６１は、袋状カバー体１６６の内部に設けられた空間に収容されている。
【００２７】
図２は、図１中の血圧計の構成を示す機能ブロック図である。図１および図２を参照して、装置本体１１０の内部には、血圧計用カフ１５０に内包された流体袋１６１に空気を供給または排出するための血圧測定用エア系コンポーネント１３１が設けられている。
【００２８】
血圧測定用エア系コンポーネント１３１は、流体袋１６１内の圧力を検出する圧力検出手段である圧力センサ１３２と、流体袋１６１を膨縮させるための膨縮機構部１３３であるポンプ１３４および弁１３５とを有する。装置本体１１０の内部には、血圧測定用エア系コンポーネント１３１に関連して発振回路１３６、ポンプ駆動回路１３７および弁駆動回路１３８が設けられている。
【００２９】
装置本体１１０には、各部を集中的に制御および監視するためのＣＰＵ（Central Processing Unit）１２１と、ＣＰＵ１２１に所定の動作をさせるプログラムや測定された血圧値などの各種情報を記憶するためのメモリ部１２３と、血圧測定結果を含む各種情報を表示するための表示部１２２と、測定のための各種指示を入力するために操作される操作部１２４とが設けられている。ＣＰＵ１２１は、血圧値を算出するための血圧値算出手段としても機能する。
【００３０】
圧力センサ１３２は、流体袋１６１内の圧力（以下、「カフ圧」という）を検出し、検出した圧力に応じた信号を発振回路１３６に出力する。ポンプ１３４は、流体袋１６１に空気を供給する。弁１３５は、流体袋１６１内の圧力を維持したり、流体袋１６１内の空気を排出したりする際に開閉する。発振回路１３６は、圧力センサ１３２の出力値に応じた発振周波数の信号をＣＰＵ１２１に出力する。ポンプ駆動回路１３７は、ポンプ１３４の駆動をＣＰＵ１２１から与えられる制御信号に基づいて制御する。弁駆動回路１３８は、弁１３５の開閉制御をＣＰＵ１２１から与えられる制御信号に基づいて行なう。
【００３１】
次に、図３を参照して、血圧計１００における血圧測定処理の流れについて説明する。このフローチャートに従うプログラムは、図２において示したメモリ部１２３に予め記憶されており、ＣＰＵ１２１がメモリ部１２３からこのプログラムを読出して実行することにより、血圧測定処理が実施される。
【００３２】
図２および図３を参照して、被験者が血圧計１００の操作部１２４の操作ボタンを操作
して電源をオンにすると血圧計１００の初期化がなされる（ステップＳ１）。次に、測定可能状態になると、ＣＰＵ１２１はポンプ１３４の駆動を開始し、流体袋１６１のカフ圧を徐々に上昇させる（ステップＳ２）。カフ圧を徐々に加圧する過程において、カフ圧が血圧測定のために必要な所定のレベルにまで達すると、ＣＰＵ１２１はポンプ１３４を停止し、次いで閉じていた弁１３５を徐々に開いて流体袋１６１の空気を徐々に排気し、カフ圧を徐々に減圧させ（ステップＳ３）、このカフ圧の微速減圧過程においてカフ圧の検出が行なわれる。
【００３３】
次に、ＣＰＵ１２１は公知の手順で収縮期血圧値（最高血圧値）および拡張期血圧値（最低血圧値）を算出する（ステップＳ４）。具体的には、カフ圧が徐々に減圧する過程において、ＣＰＵ１２１は発振回路１３６から得られる発振周波数に基づき脈波情報を抽出する。そして、抽出された脈波情報により血圧値を算出する。ステップＳ４において血圧値が算出されると、算出された血圧値を表示部１２２に表示する（ステップＳ５）。
【００３４】
なお、以上において説明した測定方式は、流体袋の減圧時に脈波を検出して血圧値を算出するいわゆる減圧測定方式に基づいたものであるが、流体袋の加圧時に脈波を検出して血圧値を算出するいわゆる加圧測定方式を採用することも当然に可能である。
【００３５】
（血圧計用カフ１５０の構造）
次に、図４から図６を参照して、血圧計用カフ１５０の構造について説明する。なお、図４は展開した状態、図５は上腕に巻き付けた状態を示す断面図、図６は図４中のＶＩ−ＶＩ線矢視断面図である。
【００３６】
この血圧計用カフ１５０は、被験者の上腕を圧迫するための流体袋１６１と、流体袋１６１を上腕に向けて付勢するためのカーラ１９１と、流体袋１６１およびカーラ１９１を収容しながら被験者の上腕に流体袋１６１を装着するため、被験者の上腕に巻きつけられる帯状形態の袋状カバー体１６６とを備えている。
【００３７】
袋状カバー体１６６の流体袋１６１が収容される外面には、袋状カバー体１６６が被験者の上腕に巻き付けられた状態において、袋状カバー体１６６の一端が袋状カバー体１６６の他端側に係合するための面ファスナ１９２が設けられている。袋状カバー体１６６には、好適にはポリアミド（ＰＡ）、ポリエステル等の合成繊維からなる布地によって形成されている。
【００３８】
カーラ１９１は、流体袋１６１を上腕に向けて付勢するための湾曲弾性板である。カーラ１９１を展開した状態においては帯形状を有する。カーラ１９１は、上腕にフィットするように、上腕の軸方向に延びる円筒形状に形成されており、環状に巻き回されることによって径方向に弾性変形可能に構成された可撓性の部材からなる。カーラ１９１は、十分な弾性力を発現するように、たとえばポリプロピレン（ＰＰ）等の樹脂部材にて形成されている。
【００３９】
流体袋１６１を形成する樹脂シートの材質としては、伸縮性に富んだ材料が用いられ、樹脂シートの好適な材質としては、エチレン−酢酸ビニール共重合体（ＥＶＡ）、軟質塩化ビニル（ＰＶＣ）、ポリウレタン（ＰＵ）、ポリアミド（ＰＡ）、生ゴム等が挙げられる。
【００４０】
血圧計用カフ１５０には、装置本体１１０から流体袋１６１内に空気を導入または排出するためのエア接続口１４６が設けられている。このエア接続口１４６は、上腕に巻き付けた状態において、上腕の頂上位置（Ｌ２）となるように、血圧計の取扱説明書に説明されているとともに、血圧計用カフ１５０に示されている。また、血圧計用カフ１５０には
、動脈位置（Ｌ１）が示されている。
【００４１】
図５および図６を参照して、血圧の測定においては、流体袋１６１の中心位置を動脈の直上にあわせることが重要であることから、動脈位置（Ｌ１）と流体袋１６１の上腕への巻き付け方向に沿う中心位置とが重なるように、流体袋１６１は、袋状カバー体１６６内において保持されている。エア接続口１４６（頂上位置（Ｌ２））と動脈位置（Ｌ１）との間隔は、約４０ｍｍに設定されている。
【００４２】
（カーラ１９１の具体的構成）
次に、図７から図９を参照して、本実施の形態におけるカーラ１９１の具体的構成について説明する。図７はカーラ１９１を上腕に巻き付けた状態での、図８中のＶＩＩ−ＶＩＩ線矢視断面図、図８はカーラ１９１を上腕に巻き付けた状態での斜視図、図９はカーラ１９１の断面図である。
【００４３】
カーラ１９１は、上記したように上腕にフィットするように、上腕の軸方向に延びる円筒形状に形成されており、環状に巻き回されることによって径方向に弾性変形可能に構成された可撓性の部材からなる。カーラ１９１は大別すると３つの領域から構成され、第１湾曲部１９１ａ、第２湾曲部１９１ｂ、および第１湾曲部１９１ａと第２湾曲部１９１ｂとを連結する連結部１９１ｃを有する。なお、第１湾曲部１９１ａは、一の曲率半径または複数の曲率半径を有するように成型されている。第２湾曲部１９１ｂも第１湾曲部１９１ａと同様である。
【００４４】
第１湾曲部１９１ａと連結部１９１ｃとの連結点が、曲率半径が変化する第１変曲点Ｐ１を構成し、第２湾曲部１９１ｂと連結部１９１ｃとの連結点が、曲率半径が変化する第２変曲点Ｐ２を構成する。第１変曲点Ｐ１と第２変曲点Ｐ２との間の連結部１９１ｃは、第１変曲点Ｐ１の端部側に位置するカーラ１９１の第１湾曲部１９１ａを延長したよりも内側となるように、また、第２変曲点Ｐ２の端部側に位置するカーラ１９１の第２湾曲部１９１ｂを延長したよりも内側となるように成型することが好ましく、図７に示す形態では、第１変曲点Ｐ１と第２変曲点Ｐ２との間は直線となるように成型されている。また、連結部１９１ｃは、カーラ１９１の軸方向の一端から他端にわたって成型されている。
【００４５】
第１変曲点Ｐ１と第２変曲点Ｐ２との間の距離（連結部１９１ｃの長さ）は約２０ｍｍ〜約６０ｍｍであり、好ましくは、約２０ｍｍ〜約４０ｍｍ、本実施の形態では、３０ｍｍ（Ｌ１１＝１５ｍｍ）を採用している。
【００４６】
なお、図５および図７に示す状態は、上腕に装着された状態であるため、第１湾曲部１９１ａおよび第２湾曲部１９１ｂが拡がった状態が図示されている。カーラ１９１に外力が作用していない状態においては、図９に示すように、第１湾曲部１９１ａおよび第２湾曲部１９１ｂは内側に湾曲し、一部が重なりあう状態となる。
【００４７】
（作用・効果）
本実施の形態おけるカーラ１９１を採用した血圧計用カフ１５０およびこれを備えた血圧計１００によれば、カーラ１９１に曲率半径が変化する第１変曲点Ｐ１と第２変曲点Ｐ２とを設け、この第１変曲点Ｐ１と第２変曲点Ｐ２との間は、第１変曲点Ｐ１および第２変曲点Ｐ２の、それぞれの端部側に位置するカーラ１９１の第１湾曲部１９１ａおよび第２湾曲部１９１ｂを、それぞれの曲率に沿って延長した位置よりも内側となるように、直線状の連結部１９１ｃが設けられている。
【００４８】
これにより、上腕に血圧計用カフ１５０を緩く装着した場合であっても、直線状の連結部１９１ｃの中心位置Ｌ１は、動脈位置Ｌ１の直上に位置していることから、従来の構造
に比べて、カーラ１９１と上腕の表面との距離を短くすることができる。その結果、流体袋１６１の膨張方向を上腕の軸中心方向へ向かわせることができる。また、２つの変曲点の間に流体袋１６１を押圧することができるため、流体袋１６１への皺の発生を抑制することができる。
【００４９】
これにより、血圧計を用いた血圧測定時において、従来の構造に比べて、カーラ１９１と上腕の表面との距離が短いことから、流体袋１６１の容積変化の誤差を小さくすることができ、血圧測定の誤差を小さくすることが可能となる。
【００５０】
なお、上記血圧計用カフ１５０は、直線状の連結部１９１ｃとして、カーラ１９１の軸方向の一端から他端にわたって成型された場合を示しているが、図１０に示すカーラ１９１Ａに示すように、カーラ１９１Ａの軸方向において、中間領域にのみ直線状の連結部１９１ｃを成型するようにしてもかまわない。
【００５１】
また、カーラ１９１の他の構成として、図１１に示すカーラ１９１Ｂの構成を採用することも可能である。上記カーラ１９１は、第１変曲点Ｐ１と第２変曲点Ｐ２との間は、直線状の連結部１９１ｃとしているが、カーラ１９１Ｂは、第１変曲点Ｐ１および第２変曲点Ｐ２の、それぞれの端部側に位置するカーラ１９１の第１湾曲部１９１ａおよび第２湾曲部１９１ｂを、それぞれの曲率に沿って延長した位置よりも内側となるように、第１湾曲部１９１ａおよび第２湾曲部１９１ｂを延長した曲率半径Ｒ１よりも大きい曲率半径Ｒ２となるように連結部１９１ｃを成型している。
【００５２】
また、カーラ１９１のさらに他の構成として、図１２に示すカーラ１９１Ｃの構成を採用することも可能である。このカーラ１９１Ｃは、連結部１９１ｃが内側に凹む形状に成型されている。
【００５３】
上記カーラ１９１Ｂおよびカーラ１９１Ｃの構成であっても、上腕に血圧計用カフ１５０を緩く装着した場合に、従来の構造に比べて、カーラ１９１と上腕の表面との距離を短くすることができる。その結果、血圧計を用いた血圧測定時において、血圧計用カフ１５０を緩く装着した場合であっても、流体袋１６１の容積変化の誤差を小さくすることができ、血圧測定の誤差を小さくすることが可能となる。
【００５４】
また、上記実施の形態における血圧計用カフ１５０においては、好ましい例として第１変曲点Ｐ１と第２変曲点Ｐ２との中心位置Ｌ１と、流体袋１６１の上腕への巻き付け方向に沿う中心位置Ｌ１とが重なるように設けられる場合について説明したが、他の形態として、第１変曲点Ｐ１と第２変曲点Ｐ２との間に位置する連結部１９１ｃに、流体袋１６１の中心位置が重なるように配置されることでも、カーラ１９１と上腕の表面との距離を従来構造よりも短くすることができる。
【００５５】
その結果、血圧計を用いた血圧測定時において、血圧計を用いた血圧測定時において、流体袋１６１の容積変化の誤差を小さくすることができ、血圧測定の誤差を小さくすることが可能となる。
【００５６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５７】
１００  血圧計、１１０  装置本体、１２１  ＣＰＵ（Central Processing Unit）、
１２２  表示部、１２３  メモリ部、１２４  操作部、１３１  血圧測定用エア系コンポーネント、１３２  圧力センサ、１３３  膨縮機構部、１３４  ポンプ、１３５  弁、１３６  発振回路、１３７  ポンプ駆動回路、１３８  弁駆動回路、１４０  接続管、１４６  エア接続口、１５０  血圧計用カフ、１６１  流体袋、１６６  袋状カバー体、１９１，１９１Ａ，１９１Ｂ，１９１Ｃ  カーラ、１９１ａ  第１湾曲部、１９１ｂ  第２湾曲部、１９１ｃ  連結部、１９２  面ファスナ、３０１  上腕、３０２  骨、３０３  動脈、Ｐ１  第１変曲点、Ｐ２  第２変曲点。
【図１】
0005487963.tif 000002
【図２】
0005487963.tif 000003
【図３】
0005487963.tif 000004
【図４】
0005487963.tif 000005
【図５】
0005487963.tif 000006
【図６】
0005487963.tif 000007
【図７】
0005487963.tif 000008
【図８】
0005487963.tif 000009
【図９】
0005487963.tif 000010
【図１０】
0005487963.tif 000011
【図１１】
0005487963.tif 000012
【図１２】
0005487963.tif 000013
【図１３】
0005487963.tif 000014
【図１４】
0005487963.tif 000015
【図１５】
0005487963.tif 000016